(57)【要約】【課題】  フィルタをポリ袋等のフィルタ袋に入れたまま使用することを確実に防止すると共に、輸送中に温度が高くなっても、電源コードの形が本体側に移ることのない空気清浄機を提供することである。【解決手段】  フィルタ１２と送風ファン６を配備した本体ケース２と、本体ケース内の前記フィルタと隣接する位置に設けられた電源コード収納部１３と、梱包時にフィルタ１２を包むフィルタ袋１５と、フィルタ袋の一端より一体に延設され、梱包時に電源コード収納部１３に収納される電源コード１４を包むコードカバー部１７と、フィルタと電源コード収納部を覆うように本体ケースの前面開口部に着脱自在に装着さる前カバー３とを具える。【選択図】    図２
2009195861.tif 000002
【特許請求の範囲】
【請求項１】
内部にフィルタと送風ファンを具え、送風ファンの駆動により、吸気口より吸引した外気をフィルタで浄化した後、吐出口より機外へ放出する空気清浄機であって、
前記フィルタと送風ファンを配備した本体ケースと、
本体ケース内の前記フィルタと隣接する位置に設けられた電源コード収納部と、
梱包時に前記フィルタを包むフィルタ袋と、
該フィルタ袋の一端より一体に延設され、梱包時に電源コード収納部に収納される電源コードを包むコードカバー部と、
前記フィルタと電源コード収納部を覆うように本体ケースの前面開口部に着脱自在に装着される前カバーとを具えた空気清浄機。
【請求項２】
前記フィルタ袋及びコードカバー部は、耐熱性の高い素材から構成した請求項1に記載の空気清浄機。
【発明の詳細な説明】
【技術分野】
【０００１】
本発明は、吸気口より機内に吸引した外気をフィルタで浄化した後、吐出口より機外へ放出する空気清浄機に関する。
【背景技術】
【０００２】
従来、空気清浄機を梱包して出荷するに際して、フィルタは性能の劣化を防止するために、ポリ袋（ポリエチレン袋）等による包装が施されている。このようなものでは、使用時にフィルタをポリ袋から取り出すのを忘れて、フィルタがポリ袋に入った状態で運転することがあり、この結果、風路が封鎖されて送風ファンの駆動モータが加熱して故障することがあった。
【０００３】
そこで、特許文献１のように、電源コードをフィルタに隣接して本体ケース内に収納し、使用時、前カバーを本体ケースより取り外して電源コードを取り出す際に、ポリ袋で包装されたフィルタを目視できるようにして、ポリ袋の取り外しを促すようにしたものがある。
【特許文献１】特開平１０−１３２３４１号公報
【発明の開示】
【発明が解決しようとする課題】
【０００４】
このような空気清浄機では、フィルタをポリ袋から取り出すのを忘れて使用することはある程度防止できるが、それでも忘れてしまうことが考えられる。
【０００５】
また電源コードを本体ケース内に収納しているので、製品搬送中の温度によっては、本体ケースの樹脂部品が溶解し始め、電源コードの形が本体ケースに移っていまい、外観上好ましくない事態が発生することがあった。特に近年、海外生産が増加して輸送船で搬送中に、空気清浄機内の温度が７０℃近くになることがあり、本体ケースがＰＳ樹脂（ポリスチレン樹脂）やＡＢＳ樹脂からなるときは、溶解が始まり、この問題が発生することがあった。
【０００６】
本発明の目的は、フィルタをポリ袋等の袋から取り出すのを忘れて使用することを確実に防止すると共に、輸送中に温度が高くなっても、電源コードの形が本体側に移ることのない空気清浄機を提供することである。
【課題を解決するための手段】
【０００７】
本発明は、内部にフィルタと送風ファンを具え、送風ファンの駆動により、吸気口より吸引した外気をフィルタで浄化した後、吐出口より機外へ放出する空気清浄機であって、前記フィルタと送風ファンを配備した本体ケースと、本体ケース内の前記フィルタと隣接する位置に設けられた電源コード収納部と、梱包時にフィルタを包むフィルタ袋と、該フィルタ袋の一端より一体に延設され、梱包時に電源コード収納部に収納される電源コードを包むコードカバー部と、前記フィルタと電源コード収納部を覆うように本体ケースの前面開口部に着脱自在に装着される前カバーとを具えたものである。
【０００８】
ここで、前記フィルタ袋及びコードカバー部は、耐熱性の高い素材（例えば、高密度ポリエチレン（ＨＤＰＥ）等）から構成するのが好ましい。
【発明の効果】
【０００９】
本発明の空気清浄機によれば、空気清浄機を使用する際は、前カバーを外して電源コードを取り出さなければならず、この際、電源コードは、フィルタ袋の一端より一体に延設されたコードカバー部で包まれているので、フィルタ袋に収納されたフィルタに否が応でも気が付き、フィルタをフィルタ袋から取り出すのを忘れて使用することを確実に防止できる。さらに、電源コードは、コードカバー部で包まれているので、製品搬送中に高温になって本体ケースの樹脂部品が溶解し始めても、電源コードの形が本体ケースに移ってしまうことを防止でき、外観上良好に保つことができる。
【発明を実施するための最良の形態】
【００１０】
本発明の空気清浄機の実施形態を図に基づいて説明する。図１は空気清浄機全体の正面図、図２は図１のＡ−Ａ線に基づく断面図で、空気清浄機１の本体ケース２は前面が開口してその前面開口部に前カバー３が着脱自在に取り付けられて外郭が形成されている。前カバー３にはその中央部と下部に外気を本体ケース１内に取り入れる横長の吸気口４が形成されている。本体ケース１内は、仕切板５により前後に区画されており、仕切板５の前方には、吸気口４から吸引した外気中に含まれる塵埃や臭い成分を除去するフィルタ１２が配置され、仕切板５の後方には、送風ファン６が配置されている。送風ファンは６、仕切板５に取り付けられた駆動モータ７により回転される。送風ファン６は、仕切板５と本体ケース２とで構成されるファンケーシング８内に配置される。本体ケース２の上面には、ファンケーシング８と連通する吐出口９が形成されている。
【００１１】
送風ファン６が駆動すると、吸気口４より外気が吸引され、吸引された外気は、フィルタ１２を通って塵埃や臭い成分が除去された後、仕切板後方のファンケーシング８を通って吐出口９より機外へ放出される。空気清浄機の操作は、前カバー３の上部より露呈した操作部１０により操作される。
【００１２】
仕切板５にはフィルタ１２を収納するフィルタ収納部１１が形成されていると共に、フィルタ収納部１１の下方には、フィルタ収納部１１に隣接するように電源コード収納部１３が形成されている。電源コード収納部１３には、梱包時や輸送時に電源プラグ１４ａを先端に有する電源コード１４が収納される。前カバー３は、フィルタ収納部１１に配置されたフィルタ１２や電源コード収納部１３に収納された電源コード１４を覆うように、本体ケース２に着脱自在に装着されている。
【００１３】
ところで空気清浄機１を梱包して輸送する際、フィルタ１２は、性能の劣化を防止するために、ポリ袋等のフィルタ袋１５に入れて密封した状態でフィルタ収納部１１に収納される。図３乃至図５はフィルタ１２を透明なフィルタ袋１５に入れている状態を示す。斜線で示す部分１６は密封するためにヒートシールしている部分を示す。
【００１４】
フィルタ袋１５は、その一端（下端）よりコードカバー部１７が一体に延設されている。フィルタ袋１５に収納されたフィルタ１２をフィルタ収納部１１に置いたとき、コードカバー部１７は、電源コード収納部１３を覆うようになる。従って、電源プラグを含む電源コード１４は、図５、図６のように、このコードカバー部１７で包み込んだ状態で、電源コード収納部１３に収納することができる。図３の破線はコードカバー部１７を広げた状態を示し、これを矢印のように電源コード１４を包み込むように巻く。
【００１５】
フィルタ袋１５（コードカバー部１７も当然含む）は、耐熱性の高い素材から構成することが望ましい。例えば、軟化温度が８０℃〜９０℃の低密度ポリエチレン（ＬＤＰＥ）から作られたポリ袋でもよいが、軟化温度が１２０℃程度のより高い高密度ポリエチレン（ＨＤＰＥ）で作られたものの方が好ましい。
【００１６】
このように空気清浄機１を梱包して輸送する際には、電源コード１４はフィルタ袋１５に一体に延設されたコードカバー部１７で包み込まれているので、コード収納部１３を構成する樹脂部材が、例えば、ＰＳ樹脂（ポリスチレン樹脂）やＡＢＳ樹脂等の融点の低い樹脂からなり、輸送中に温度が７０℃程度の高温になって、軟化し始めても、電源コード１４の形状がコード収納部１３に移ってしまうことはない。従って、コード収納部１３の樹脂素材に融点の高い素材を使うなどの特別な考慮を払う必要がない。
【００１７】
また、空気清浄機１を使う場合は、前カバー３を外して電源コード１４を取り出す必要があり、電源コード１４はコードカバー部１７で包み込まれているので、コードカバー部１７の包みを解くのであるが、この際、コードカバー部１７と一体にフィルタ袋１５があるので、フィルタ袋１５に収納されたフィルタ１２に否が応でも気が付き、フィルタ１２をフィルタ袋１５から取り出すのを忘れて使用することを確実に防止できる。
【００１８】
以上の実施例では、コード収納部１３はフィルタ１２の下方に形成したが、フィルタ１２と隣接する位置であればフィルタ１２の横側であっても上方であっても勿論よい。またコードカバー部１７で、電源コード１４を包み込んでいるが、リモコン等の他の付属部品を、コードカバー部１７で電源コード１４と一緒に包み込んでもよいし、付属部品はコードカバー部１７とは別に、フィルタ収納袋１５より一体に形成した延長部で包み込むようにしてもよい。
【図面の簡単な説明】
【００１９】
【図１】本発明の空気清浄機全体の正面図である。
【図２】図１のＡ−Ａ線に基づく断面図である。
【図３】前カバーを外した状態の正面図で、使用前の状態を示す。
【図４】フィルタをフィルタ袋に収納している状態の正面図で、電源コードを包み込む前の状態を示す。
【図５】フィルタをフィルタ袋に収納している状態の正面図で、電源コードを包み込んだ状態を示す。
【図６】図５の状態の側面図である。
【符号の説明】
【００２０】
１２  フィルタ
６  送風ファン
４  吸気口
９  吐出口
２  本体ケース
１３  電源コード収納部
１５  フィルタ袋
１７  コードカバー部
３  前カバー
【図１】
2009195861.tif 000003
【図２】
2009195861.tif 000004
【図３】
2009195861.tif 000005
【図４】
2009195861.tif 000006
【図５】
2009195861.tif 000007
【図６】
2009195861.tif 000008